(57)【特許請求の範囲】
【請求項１】
撮影画像の記録手段と、前記撮影画像が良画像であるのか不良画像であるのかを判断する判断手段と、前記記録手段に記録された撮影画像をプリンタへ出力するプリントアウト実行手段と、前記不良画像と前記良画像とを含む全ての画像をプリンタへ出力する全画像印刷モードを実行するか又は良画像と共に不良画像リストをプリンタへ出力するリスト印刷モードを実行するかを選択する選択手段とを有することを特徴とするデジタルカメラ。
【請求項２】
前記プリントアウト実行手段は、不良画像のファイル名からなる不良画像リストを出力することを特徴とする請求項１に記載のデジタルカメラ。
【請求項３】
前記判断手段は、前記不良画像を種類毎に判断することを特徴とする請求項１に記載のデジタルカメラ。
【請求項４】
前記プリントアウト実行手段は、前記不良画像と前記ファイル名と前記不良画像の種類とを関連付ける関連付け手段を有し、前記ファイル名と前記不良画像の種類とが関連付けられた不良画像リストを出力することを特徴とする請求項３に記載のデジタルカメラ。
【請求項５】
前記プリントアウト実行手段は、前記ファイル名とサムネイルとを関連付ける関連付け手段を有し、前記ファイル名と前記サムネイルとが関連付けられた不良画像リストを出力することを特徴とする請求項３に記載のデジタルカメラ。
【請求項６】
前記プリントアウト実行手段は、前記ファイル名と前記サムネイルと前記不良画像の種類とを関連付ける関連付け手段を有し、前記ファイル名と前記サムネイルと前記不良画像の種類とが関連付けられた不良画像リストを出力することを特徴とする請求項３に記載のデジタルカメラ。
【請求項７】
前記不良画像の種類が文字で表現されていることを特徴とする請求項４又は請求項６に記載のデジタルカメラ。
【請求項８】
前記不良画像の種類が図形で表現されていることを特徴とする請求項４又は請求項６に記載のデジタルカメラ。
【請求項９】
前記不良画像リストには、不良画像リストのプリントアウトを実行したときに、不良画像の出力回数がプリント可能とされていることを特徴とする請求項４に記載のデジタルカメラ。
【発明の詳細な説明】
【技術分野】
【０００１】
本発明は、デジタルカメラで撮影された撮影画像をプリントするデジタルカメラプリントシステム及びこれに用いるデジタルカメラに関する。
【背景技術】
【０００２】
従来から、デジタルカメラには、例えば、手ぶれ、ピンぼけ、露出不良等の撮影不良画像を含む全ての画像を印画紙に印刷するデジタルカメラプリントシステムが知られている。近年では、デジタルカメラの画像メモリに記録されている過去の印刷履歴ファイルを参照して、未印刷の一連の画像を手軽に印刷することが可能な撮影分印刷モードを有するデジタルカメラも知られている（例えば、特許文献１参照）。
【０００３】
また、画像メモリの印刷来歴情報に基づいて少なくともそれまでに画像プリントの出力処理がなされていない画像データを順次印刷することが可能なデジタルカメラプリントシステムも知られている（例えば、特許文献２参照）。
【特許文献１】特開２００３−１５８６９６号公報
【特許文献２】特開２００４−１５５３３号公報
【発明の開示】
【発明が解決しようとする課題】
【０００４】
ところで、撮影画像については、その全てを記録して残しておきたいというユーザーの要望があるが、撮影画像を消去しないという前提のもとで、良画像のみならず、手ぶれ、ピンぼけ、露出不良のような撮影不良画像を含む全ての画像を印画紙に印刷するものとすると、印画紙代に費用がかかりすぎる。従って、撮影画像を印刷するときに、デジタルカメラの記録手段に記録された不良画像を自動的に除去して良画像のみを印刷することが望まれる。
【０００５】
しかしながら、良画像のみを印刷するものとすると、印画紙代の節約にはなるが、不良画像があったのかなかったのか、不良画像があったとしたらどのような不良画像であるのかを確認できず不便である。
【０００６】
そこで、本発明の目的は、印画紙の浪費を避けつつ、不良画像があったのかなかったのか、不良画像があったとしたらどのような不良画像であるのかを確認することができるデジタルカメラを提供することにある。
【課題を解決するための手段】
【００１６】
請求項１に記載のデジタルカメラは、撮影画像の記録手段と、前記撮影画像が良画像であるのか不良画像であるのかを判断する判断手段と、前記記録手段に記録された撮影画像をプリンタへ出力するプリントアウト実行手段と、前記不良画像と前記良画像とを含む全ての画像をプリンタへ出力する全画像印刷モードを実行するか又は良画像と共に不良画像リストをプリンタへ出力するリスト印刷モードを実行するかを選択する選択手段とを有することを特徴とする。
【００１７】
請求項２に記載のデジタルカメラは、前記プリントアウト実行手段が、不良画像のファイル名からなる不良画像リストを出力することを特徴とする。
【００１８】
請求項３に記載のデジタルカメラは、前記判断手段が、前記不良画像を種類毎に判断することを特徴とする。
【００１９】
請求項４に記載のデジタルカメラは、前記プリントアウト実行手段が、前記不良画像と前記ファイル名と前記不良画像の種類とを関連付ける関連付け手段を有し、前記ファイル名と前記不良画像の種類とが関連付けられた不良画像リストを出力することを特徴とする。
【００２０】
請求項５に記載のデジタルカメラは、前記プリントアウト実行手段が、前記ファイル名とサムネイルとを関連付ける関連付け手段を有し、前記ファイル名と前記サムネイルとが関連付けられた不良画像リストを出力することを特徴とする。
【００２１】
請求項６に記載のデジタルカメラは、前記プリントアウト実行手段が、前記ファイル名と前記サムネイルと前記不良画像の種類とを関連付ける関連付け手段を有し、前記ファイル名と前記サムネイルと前記不良画像の種類とが関連付けられた不良画像リストを出力することを特徴とする。
【００２２】
請求項７に記載のデジタルカメラは、前記プリントアウト実行手段が、前記不良画像と前記ファイル名と前記不良画像の種類とを関連付ける関連付け手段を有し、前記不良画像リストと共に出力された不良画像の種類が文字で表現されたものであることを特徴とする。
【００２３】
請求項８に記載のデジタルカメラは、前記プリントアウト実行手段が、前記不良画像の種類が図形で表現されていることを特徴とする。
【００２４】
請求項９に記載のデジタルカメラは、前記プリントアウト実行手段が、前記不良画像リストには、不良画像リストのプリントアウトを実行したときに、不良画像の出力回数がプリントアウト可能とされていることを特徴とする。
【発明の効果】
【００２５】
請求項１、請求項２に記載の発明によれば、ユーザーの好みに応じて前記不良画像と前記良画像とを含む全ての画像をプリンタに出力するプリントアウトの実行と、良画像と共に不良画像リストをプリンタに出力するプリントアウトの実行とを選択することができるので、印画紙の浪費を避けつつ、不良画像があったのかなかったのかを確認することができるという効果を奏する。
【００２６】
請求項３ないし請求項８までに記載の発明によれば、不良画像があったとしたらどのような不良画像であるのかを確認できる。
【００２７】
特に、請求項５、請求項６に記載の発明によれば、サムネイルの画像を見て直接に画像不良の状態を確認できる。
【００２８】
請求項９に記載の発明によれば、不良画像を何回印刷したか否かを確認できる。
【発明を実施するための最良の形態】
【００２９】
以下に、本発明の実施の形態を図面を参照しつつ説明する。
【実施例】
【００３０】
図１はデジタルカメラとプリンターとの接続図、図２は本発明に係る撮像装置としてのデジタルカメラ（以下、カメラともいう）の一例を示す正面図、図３はその背面図、図４はその上面図、図５はそのデジタルカメラの内部のシステム構成の概要を示すブロック回路図である。
【００３１】
図１において、ＤＣａはデジタルカメラ、ＲＰはプリンターである。プリンターＲＰは、図１に示すように、ＵＳＢケーブルを介してデジタルカメラＤＣａのＵＳＢコネクタ１２２に接続する。プリンターＲＰは、デジタルカメラＤＣａの記録手段（後述する）に記録された撮影画像をプリントアウトするのに用いる。
【００３２】
カメラＤＣａの上面には、図２及び図４に示すように、レリーズスイッチ（レリーズシャッター）ＳＷ１、モードダイアルＳＷ２、図４に示すサブ液晶ディスプレイ（以下、サブＬＣＤともいう）１が配設されている。
【００３３】
カメラＤＣａの正面には、撮影レンズを含む鏡胴ユニット７、光学ファインダ４、ストロボ発光部３、測距ユニット５、リモートコントロール受光部６、ＳＤカード／電池装填室の蓋２が設けられている。
【００３４】
カメラＤＣａの背面には、図３に示すように電源スイッチ１３、ＬＣＤモニター１０、ＡＦＬＥＤ８、ストロボＬＥＤ９、光学ファインダ４、広角方向ズームスイッチＳＷ３、望遠方向ズームスイッチＳＷ４、セルフタイマの設定・解除スイッチＳＷ５、メニュースイッチＳＷ６、上移動・ストロボセットスイッチＳＷ７、右移動スイッチＳＷ８、ディスプレイスイッチＳＷ９、下移動・マクロスイッチＳＷ１０、左移動・画像確認スイッチＳＷ１１、ＯＫスイッチＳＷ１２、クイックアクセススイッチＳＷ１３が設けられている。
【００３５】
次にカメラＤＣａの内部のシステム構成を説明する。
【００３６】
その図５において、１０４はデジタルスチルカメラプロセッサ（以下、プロセッサともいう）である。
【００３７】
プロセッサ１０４は、ＣＣＤ１信号処理ブロック１０４１、ＣＣＤ２信号処理ブロック１０４２、ＣＰＵブロック１０４３、ローカルＳＲＡＭ１０４４、ＵＳＢブロック１０４５、シリアルブロック１０４６、ＪＰＥＧ・ＣＯＤＥＣブロック１０４７、ＲＥＳＩＺＥブロック１０４８、ＴＶ信号表示ブロック１０４９、メモリカードコントローラブロック１０４１０を有している。これらの各ブロックは相互にバスラインで接続されている。
【００３８】
プロセッサ１０４の外部にはＳＤＲＡＭ１０３が配置され、このＳＤＲＡＭ１０３はプロセッサ１０４にメモリコントローラ（図示を略す）、バスラインを介して接続されている。
【００３９】
このＳＤＲＡＭ１０３は、ＣＣＤ１０１から取り込んだ撮影画像とサムネイル画像とを一時的に記憶する機能を有する。
【００４０】
プロセッサ１０４の外部には、更に、ＲＡＭ１０７、内蔵メモリ１２０、制御プログラムが格納されたＲＯＭ１０８が設けられ、これらもバスラインによってプロセッサ１０４に接続されている。
【００４１】
この発明の実施形態では、ＲＯＭ１０８には、撮影画像が良画像であるのか不良画像であるのかを判断する判断手段、不良画像と不良画像のファイル名と不良の種類とを関連付ける関連付け手段等の制御プログラムが設けられている。そして、本願発明のカメラが起動し、実行する際に、ＲＯＭ１０８から読み出され、内蔵メモリ１２０に保存される。内蔵メモリ１２０の方がＲＯＭ１０８よりも読み出し速度が速いため、制御プログラムをＲＯＭ１０８から読み出し内蔵メモリ１２０へ保存することにより、制御プログラムを高速に実行することが可能となる。
【００４２】
鏡筒ユニット７は、ズームレンズ７１ａを有するズーム光学系７１、フォーカスレンズ７２ａを有するフォーカス光学系７２、絞り７３ａを有する絞りユニット７３、メカニカルシャッター７４ａを有するメカニカルシャッター光学系７４を備えている。
【００４３】
ズーム光学系７１、フォーカス光学系７２、絞りユニット７３、メカニカルシャッター光学系７４は、ズームモータ７１ｂ、フォーカスモータ７２ｂ、絞りモータ７３ｂ、メカニカルシャッターモータ７４ｂによってそれぞれ駆動されるようになっている。
【００４４】
これらの各モータはモータドライバ７５によって駆動され、このモータドライバ７５はプロセッサ１０４のＣＰＵブロック１０４３によって制御される。
【００４５】
鏡胴ユニット７の各レンズ系によりＣＣＤ１０１に被写体像が結像され、ＣＣＤ１０１は被写体像を画像信号に変換してＦ／Ｅ−ＩＣ１０２に画像信号を出力する。Ｆ／Ｅ−ＩＣ１０２は周知のようにＣＤＳ１０２１、ＡＧＣ１０２２、Ａ／Ｄ変換部１０２３から構成されている。
【００４６】
Ｆ／Ｅ−ＩＣ１０２はその画像信号に所定の処理を施し、デジタル信号に変換してプロセッサ１０４のＣＣＤ１信号処理ブロック１０４１に向けてこのデジタル信号を出力する。
【００４７】
これらの信号制御処理は、プロセッサ１０４のＣＣＤ１信号処理ブロック１０４１から出力されるＶＤ・ＨＤ信号によりＴＧ１０２４を介して行われる。
【００４８】
プロセッサ１０４のＣＰＵブロック１０４３は、音声記録回路１１５１による音声記録動作を制御するようになっている。音声記録回路１１５１はマイクロフォン１１５３で変換された音声記録信号のマイクロフォンアンプリファイア１１５２による増幅信号を指令に応じて記録する。ＣＰＵブロック１０４３は、音声再生回路１１６１の動作も制御する。音声再生回路１１６１は、指令により適宜メモリに記憶されている音声信号を再生してオーディオアンプリファイア１１６２に出力し、スピーカ１１６３から音声を出力させるように構成されている。
【００４９】
ＣＰＵブロック１０４３は、更に、ストロボ回路１１４を制御することによってストロボ発光部３から照明光を発光させる。これに加えて、ＣＰＵブロック１０４３は、測距ユニット５も制御する。
【００５０】
ＣＰＵブロック１０４３は、プロセッサ１０４のサブＣＰＵ１０９に接続され、サブＣＰＵ１０９はＣＣＤドライバ１１１を介してサブＬＣＤ１による表示制御を行う。サブＣＰＵ１０９は、更に、ＡＦＬＥＤ８、ストロボＬＥＤ９、リモートコントロール受光部６、操作スイッチＳＷ１〜ＳＷ１３からなる操作キーユニット、ブザー１１３に接続されている。
【００５１】
ＵＳＢブロック１０４５はＵＳＢコネクタ１２２に接続され、シリアルブロック１０４６はシリアルドライバ回路１２３１を介してＲＳ−２３２Ｃコネクタ１２３２に接続されている。ＴＶ表示ブロック１０４９は、ＬＣＤドライバ１１７を介してＬＣＤモニター１０に接続されると共に、ビデオアンプリファイア１１８を介してビデオジャック１１９に接続されている。
【００５２】
メモリカードコントローラブロック１０４１０はメモリカードスロットル１２１のカード接点との接点に接続されている。このメモリカードスロットル１２１に接続しているメモリカード１２１'は、撮影画像を記録する記録手段の役割を有する。
【００５３】
次に、本発明に係るカメラＤＣａの一般的な動作概要を説明する。
【００５４】
モードダイアルＳＷ２を記録モードに設定すると、カメラＤＣａが記録モードで起動される。モードダイアルＳＷ２の設定は、モードスイッチの状態が記録モードがオンになったか否かをプロセッサ１０４が検知することにより行う。
【００５５】
プロセッサ１０４はモータドライバ７５を制御し、鏡筒ユニット７を撮影可能な位置に移動させる。更に、プロセッサ１０４はＣＣＤ１０１、Ｆ／Ｅ−ＩＣ１０２、ＬＣＤモニター１０等の各回路に電源を投入して動作を開始させる。各回路の電源が投入されると、ファインダモードの動作が開始される。
【００５６】
ファインダモードでは、各レンズ系を通して撮像素子（ＣＣＤ）１０１に入射した光が光電変換されて、Ｒ、Ｇ、Ｂのアナログ信号としてＣＤＳ回路１０２１、Ａ／Ｄ変換器１０２３に送信される。Ａ／Ｄ変換器１０２３はそのアナログ信号をデジタル変換し、そのデジタル信号はデジタル信号処理ＩＣ（ＳＤＲＡＭ１０３）内のＹＵＶ変換部でＹＵＶ信号に変換され、図示を略すメモリコントローラによってフレームメモリに書き込まれる。
【００５７】
このＹＵＶ信号はメモリコントローラによって読み出され、ＴＶ表示信号ブロック１０４９を介してＴＶ（図示を略す）やＬＣＤモニター１０へ送信される。こうすることにより、撮影画像や撮影画像に対応したサムネイル画像の表示が行われる。
【００５８】
次に、本発明に係るデジタルカメラの機能の詳細な説明を行う。
【００５９】
図１に示すデジタルカメラＤＣａは、撮影画像の記録手段と、撮影画像が良画像であるのか不良画像であるのかを判断する判断手段と、記録手段に記録された撮影画像をプリントアウトする出力手段と、不良画像と不良画像のファイル名と不良の種類とを関連付ける関連付け手段とを備えている。関連付け手段は、不良画像を縮小したサムネイル画像と文字情報を使用して関連付けを行い、これらの関連付けを示す不良画像リストを作成する。
【００６０】
また、デジタルカメラＤＣａは、良画像や不良画像を印刷する画像プリントアウトや、不良画像リストのプリントアウトの実行を支持する機能を有する。
【００６１】
撮影画像が良画像であるのか不良画像であるのかを判断するには、公知のプログラムを使用している。
【００６２】
例えば、ピンぼけ画像に関しては、主被写体のコントラストを算出することで判定できる。具体的には、画像ファイルに付加されている属性情報に記録されている測距枠の位置に基づき、画像中から被写体領域を検出する。検出した主被写体領域に含まれる複数の画素に対して、隣同士の画素との輝度差を算出し、算出した輝度差を合計することで、主被写体領域のコントラストを算出することができる。そして、算出したコントラストに値が所定値よりも小さい場合にピンぼけ画像と判定する。
【００６３】
また、露出不良画像に関しては、画像ファイルの輝度情報に基づき累積ヒストグラムを算出し、算出したヒストグラムのピークと基準値とを比較することで判定できる。具体的には、算出したヒストグラムのピークが、基準値に対して所定量以上明るい側または暗い側に位置する場合に露出不良画像と判定する。
【００６４】
また、手ぶれ画像に関しては、前記したピンぼけ画像の判定方法に、画像ファイルに付加されている属性情報に記録されている撮影時のシャッタ速度を加えて判定する。具体的には、前記したピンぼけ画像の判定方法によりピンぼけ画像が撮影された際のシャッタ速度が所定のシャッタ速度よりも低速の場合には、ピンぼけ画像ではなく手ぶれ画像と判定する。
【００６５】
図６はその関連付け手段の一例として撮影画像ファイルのフォーマットを示す。この画像フォーマットは、上から順に、画像ヘッダー部、サムネイル画像部、主画像部と大きく３つに分けられている。
【００６６】
画像ヘッダー部は、各種製造会社が自由に使用可能なエリアである。この画像ヘッダー部には、撮影日時、撮影条件、露出、シャッタースピード、撮影時の位置情報、その他のストロボのＯＮ／ＯＦＦ、画像サイズ、メーカー独自印刷履歴情報がＥｘｉｆフォーマットに準拠して記録される。また、この画像ヘッダー部には、判断手段により判断された不良画像の有無、不良の種類が記録される。例えば、不良画像が手ぶれのみである場合には、手ぶれあり、ピンぼけなし、露出不良なしとして記録される。
【００６７】
サムネイル画像部は、デジタルカメラＤＣａの再生時のサムネイル表示に使われる。複数のサムネイル画像をＬＣＤモニター１０に表示する際に高速表示が要求されるため、縮小画像サイズで格納され、ここでは、サムネイル画像は、６４０×４８０ピクセルの画像サイズで格納されている。
【００６８】
主画像部は、マスター画像がＪＰＥＧ等の圧縮フォーマットで格納されている。
【００６９】
次に、本発明に係るデジタルカメラＤＣａを用いての画像印刷モードの選択について説明する。
【００７０】
カメラＤＣａの電源スイッチ１３（図３参照）をオンにすると（図７のＳ．１参照）、ＬＣＤモニター１０に図示を略すセットアップメニューが表示される（図７のＳ．２参照）。セットアップメニューの中の設定項目の中から印刷設定を選択すると、図８に示す印刷設定画面が表示される（図７のＳ．３参照）。印刷設定画面には、不良画像印刷設定、用紙種類、用紙サイズと日付印字の各項目が表示される。図７に示す印刷設定項目の「不良画像印刷」を選択すると（図７のＳ．４参照）、すなわち、図８に示すサブメニューの「不良画像印刷設定」を「する」と選択すると、良画像と不良画像とがプリンターＲＰより印刷される全画像印刷モードとされ、「不良画像印刷設定」を「しない」と選択すると、良画像と共に不良画像リストを印刷する不良画像リスト印刷モードとされる。このようにして、各項目の表示文字を選択すると、その選択された文字に対応するモードが選択され、これらのモード選択が設定値としてメモリに保存される（図７のＳ．５参照）。
【００７１】
次に、カメラＤＣａを用いて各種の画像が撮影されているものとして、印刷を行う場合について説明する。
【００７２】
まず、カメラＬＣＤモニター１０（図３参照）を印刷画面を表示モードとする。印刷画面（図示を略す）において印刷実行をした場合について、図９ａに示すフローチャートを用いて説明する。
【００７３】
カメラＤＣａの印刷プログラムがスタートされると（図９ａのＳ．１０参照）、プリントアウト実行手段は、印刷操作の有無を判断し（図９ａのＳ．１１参照）、印刷操作がないときには、ステップＳ．１１を繰り返し、印刷操作があるときには、ステップＳ．１２に移行する。ステップＳ．１２では、全画像を印刷する設定か、良画像と共に不良画像リストを印刷する設定かを判断する。
【００７４】
このステップＳ．１２において、全画像を印刷すると設定されているときには、デジタルカメラＤＣａは良画像と不良画像とを含む全ての画像のプリントアウトする印刷要求をプリンターＲＰに送信して出力する（図９ａのＳ．１６参照）。プリンターＲＰは、印刷要求に基づいて、画像データを受け取り、印画紙に印刷する（図９ａのＳ．１７参照）。
【００７５】
そのステップＳ．１２において、良画像と共に不良画像リストを印刷すると設定されているときには、デジタルカメラＤＣａの判断手段は、記録手段に記録されている画像を読み出して、画像が良画像であるのか不良画像であるのかを判断する（図９ａのＳ．１３参照）。Ｓ．１３において、判断手段は読み出された画像が良画像であるときには、良画像リストに追加する処理（図９ａのＳ．１４参照）を実行した後、ステップＳ．１５に移行する。Ｓ．１３において、判断手段は読み出された画像が不良画像であるときには、不良画像リストに追加し関連付ける処理（図９ａのＳ．１４'参照）を実行した後、ステップＳ．１５に移行する。この関連付けには、後述するスクリプトプログラムを使用する。
【００７６】
プリントアウト実行手段は、検索が完了していないときには、ステップＳ．１３、Ｓ．１４（Ｓ．１４')、Ｓ．１５を繰り返す。全ての画像について検索が完了したときには、良画像の印刷要求と共に不良画像リストの印刷要求をプリンターＲＰに送信する(図９ａのＳ．１６参照)。このように、印刷処理を実行する（図９ａのＳ．１７参照）。プリンターＲＰの印刷処理は終了する。
【００７７】
スクリプトプログラムとしては、図９ｂに示すプリント要求スクリプトを用いる。このスクリプトプログラムは、不良画像とファイル名と不良の種類とを関連付けると共に、不良画像リストとサムネイルと不良の種類とを文字で表現して関連付けるプログラム形式とされている。この図９ｂでは、不良の種類が「ピンぼけ」として文字で分類されているが、「ピンぼけ」という文字の代わりに、「ピンぼけ」に対応する図形(図示を略す)を用いてもよい。また、手ぶれの場合には、「手ぶれ」という文字の代わりに、「手ぶれ」に対応する図形(図示を略す)を用いてもよい。同様に、露出不良の場合に、「露出不良」という文字の代わりに、「露出不良」に対応する図形(図示を略す)を用いてもよい。
【００７８】
図１０は、不良画像の縮小画像であるサムネイル画像と不良の種類と不良画像のファイル名とが分類されてかつ関連付けられてプリントアウトされた印画紙の一例を示すものである。この図１０には、手ぶれとピンぼけと露出不良の画像が模式的に示されている。その図１０において、ファイル名ＲＩＭＧ００１．ＪＰＧは、画像が二重に写っている手ぶれの撮影画像の例を示している。ファイル名ＲＩＭＧ００６．ＪＰＧは、画像がぼやけて写っているピンぼけの撮影画像の例を示している。ファイル名ＲＩＭＧ００７．ＪＰＧは、画像が全体的に暗い露出不良の撮影画像の例を示している。
【００７９】
関連付け手段として、不良の種類とファイル名とを関連付けることのできるスクリプトプログラムを用いれば、図１１に示す不良の種類とファイル名リストとが分類された不良画像リストをプリントアウトさせることができる。
【００８０】
また、本発明のデジタルカメラＤＣａは、不良画像の出力回数をカウントするカウント手段を設け、ＬＣＤモニター１０(図３参照)の表示画面に、例えば、図１２ａに示す印刷履歴画面を表示させて、この画面において、メニュー「する」を選択すると、不良画像とファイル名と出力回数とが関連付けられた不良画像リストが印刷される。例えば、図１２ｂに示しているように、手ぶれ画像のＲＩＭＧ００１．ＪＰＧ、ピンぼけ画像のＲＩＭＧ００６．ＪＰＧと露出不良画像のＲＩＭＧ００７．ＪＰＧは、今までの時点で各々既に１回、３回及び２回にプリントアウトされた回数がドットで示されている。これにより、不良画像として何回印刷されたかを判断できる。       
【図面の簡単な説明】
【００８１】
【図１】本発明の実施例に係るデジタルカメラとプリンターとの接続図である。
【図２】本発明の実施例に係るデジタルカメラの正面図である。
【図３】本発明の実施例に係るデジタルカメラの背面図である。
【図４】本発明の実施例に係るデジタルカメラの上面図である。
【図５】本発明の実施例に係るデジタルカメラの内部のシステム構成の概要を示すブロック回路図である。
【図６】本発明の実施例に係るデジタルカメラの撮影画像ファイルのフォーマットを示す図である。
【図７】本発明の実施例に係るデジタルカメラの画像印刷モード選択のフローチャートである。
【図８】本発明の実施例に係るデジタルカメラの印刷項目設定画面である。
【図９ａ】本発明の実施例に係るデジタルカメラの画像印刷処理フローチャートである。
【図９ｂ】本発明の実施例に係るデジタルカメラの不良画像印刷要求のスクリプトを示す図である。
【図１０】本発明の実施例に係るサムネイル付き不良画像リストの一例を示す図である。
【図１１】本発明の実施例に係る不良画像リストの一例を示す図である。
【図１２ａ】ＬＣＤモニターに表示された印刷履歴の画面を示す図である。
【図１２ｂ】不良画像のファイル名と印刷回数とがプリントされた印刷履歴を示す図である。
【符号の説明】
【００８２】
ＤＣａ  デジタルカメラ
ＵＳＢ  ＵＳＢケーブル
ＲＰ  プリンター
【図１】
0004675828.tif 000002
【図２】
0004675828.tif 000003
【図３】
0004675828.tif 000004
【図４】
0004675828.tif 000005
【図５】
0004675828.tif 000006
【図６】
0004675828.tif 000007
【図７】
0004675828.tif 000008
【図８】
0004675828.tif 000009
【図９ａ】
0004675828.tif 000010
【図９ｂ】
0004675828.tif 000011
【図１０】
0004675828.tif 000012
【図１１】
0004675828.tif 000013
【図１２ａ】
0004675828.tif 000014
【図１２ｂ】
0004675828.tif 000015